(57)【要約】  足を挿入する履き口部（３）から踝部（４）までを構成する環状のボディ部（５）と、踝部（４）の端部から爪先部（１１）までを構成するフット部（８）とから編成され、ボディ部（５）は、踝部（４）の上部から上端部まで形成された外側身生地（２）と、外側身生地（２）の内側に設けられ、外側身生地（２）の上端部より長く形成された内側身生地（１）と、を有し、外側身生地（２）と内側身生地（１）により、下部が閉塞し上部が下腿全周方向に開口した収納空間（７）が形成されているので、靴下（６）を着用した状態でも、収納空間の上部開口から各種の貴重品などを容易に収納することができる。
2015182095.tif 000002
【特許請求の範囲】
【請求項１】
足を挿入する履き口部から略踝部までを構成する環状のボディ部と、前記ボディ部と一体に編成され、前記略踝部の端部から爪先部までを構成するフット部とから編成され、該ボディ部に収納空間を有する靴下であって、
前記ボディ部は、
略踝部の上部から上端部まで形成された外側身生地と、
該外側身生地の内側に設けられ、該外側身生地の上端部より長く形成された内側身生地と、を有し、
前記ボディ部は、前記外側身生地と前記内側身生地により、下部が閉塞し上部が下腿全周方向に開口した収納空間が形成されていることを特徴とする靴下。
【請求項２】
前記内側身生地の上端部は、前記外側身生地の上端部を覆うように折り返されることにより、前記収納空間の上部開口を塞ぐことができることを特徴とする請求項１記載の靴下。
【請求項３】
前記内側身生地は、下腿の周方向に内側身生地伸縮部が設けられ、
前記内側身生地伸縮部により、下腿周方向に締め付けられることを特徴とする請求項２記載の靴下。
【請求項４】
前記外側身生地は、下腿の周方向に外側身生地伸縮部が設けられ、
前記外側身生地伸縮部により、下腿周方向に締め付けられることを特徴とする請求項１記載の靴下。
【発明の詳細な説明】
【技術分野】
【０００１】
本発明は、小さな貴重品など、例えば、家の鍵、現金などを収納することができ、歩行時や運動している時でも収納物を落とすことのない収納空間を有する靴下、詳しくは、足を挿入する履き口部から略踝部までを構成する環状のボディ部と、ボディ部と一体に編成され、略踝部の端部から爪先部までを構成するフット部とから編成され、ボディ部に収納空間を有する靴下に関する。
【背景技術】
【０００２】
従来から収納空間を有する靴下が知られていた。この種の靴下として、プロテクターや保温カイロ、歩行補助具などを収納するための収納空間を足の甲、つま先、足裏などの所定の位置に一体として編成されたものがあった（たとえば、特許文献１）。
【先行技術文献】
【特許文献】
【０００３】
【特許文献１】実用新案登録第３１７４９８１号公報
【発明の概要】
【発明が解決しようとする課題】
【０００４】
しかしながら、従来の収納空間を有する靴下は、足の甲、つま先、足裏などに収納空間を設ける構成であるので、比較的小さなものを脚に収納する際には適しているが、収納空間の入口が狭いため、靴などを履いた状態で収納空間から物を容易に出し入れすることができないものであった。また、収納空間が外部に開放されているため、貴重品などの小物を収納空間に収納した状態で、歩行または走行など激しい動きをした場合に、収納空間内に収納した貴重品などの収納物が収納空間から外部に飛び出してしまい、貴重品などを失ってしまうという問題があった。【０００５】
本発明は、各種の収納物でも容易に収納でき、貴重品などの収納物が靴下の収納空間から外に飛び出さないように容易にすることができる靴下を提供することを目的とする。
【課題を解決するための手段】
【０００６】
本発明の第１の態様は、足を挿入する履き口部から略踝部までを構成する環状のボディ部と、ボディ部と一体に編成され、略踝部の端部から爪先部までを構成するフット部とから編成され、ボディ部に収納空間を有する靴下であって、ボディ部は、略踝部の上部から上端部まで形成された外側身生地と、外側身生地の内側に設けられ、外側身生地の上端部より長く形成された内側身生地と、を有し、ボディ部は、外側身生地と内側身生地により、下部が閉塞し上部が下腿全周方向に開口した収納空間が形成されていることを特徴とするものである。【０００７】
本発明によれば、ボディ部の外側身生地と内側身生地により、下部が閉塞し上部が下腿全周方向に開口した収納空間が形成されているので、靴下を着用した状態でも、収納空間の上部開口から各種の貴重品などを容易に出し入れすることができ、容易に収納することができる。また、外側身生地と内側身生地の二重構造としているので、一重構造と比較して、締付け力が向上する。【０００８】
本発明の第２の態様は、本発明の第１の態様の靴下であって、内側身生地の上端部は、外側身生地の上端部を覆うように折り返されることにより収納空間の上部開口を塞ぐことができるものである。【０００９】
本発明によれば、内側身生地の上端部が外側身生地の上端部を覆うように折り返されることにより収納空間の上部開口を塞ぐので、収納した状態で歩行や走行など激しい動きをしても収納空間内の貴重品などが収納空間外に飛び出すことを確実に防止することができる。【００１０】
本発明の第３の態様は、本発明の第２の態様の靴下であって、内側身生地は、下腿の周方向に内側身生地伸縮部が設けられ、内側身生地伸縮部により、下腿周方向に締め付けられることを特徴とするものである。【００１１】
本発明によれば、内側身生地の内側身生地伸縮部により下腿周方向に締め付けられるので、内側身生地の上端部を折り返すことにより収納空間の上部開口をより強固に塞ぐことができ、収納空間内の貴重品などが収納空間外に飛び出すことをより確実に防止することができる。【００１２】
本発明の第４の態様は、本発明の第１の態様の靴下であって、外側身生地は、下腿の周方向に外側身生地伸縮部が設けられ、外側身生地伸縮部により、下腿周方向に締め付けられることを特徴とするものである。【００１３】
本発明によれば、外側身生地の外側身生地伸縮部により下腿周方向に締め付けられるので、収納空間内の貴重品などの移動を抑制して収納空間内に確実に保持することができるともに、収納空間内に物を入れないときでも、外側身生地伸縮部により下腿周方向に締め付けられるので、靴下の形状を崩すことなく、美しい靴下の形状を保持して使用することができる。
【発明の効果】
【００１４】
本発明による靴下によれば、各種の収納物でも収納空間に容易に収納できるとともに、貴重品などの収納物が靴下の収納空間から外に容易に飛び出さないようにすることができる。
【図面の簡単な説明】
【００１５】
【図１】（ａ）本発明の第１実施形態における内側身生地の上端部を伸ばした靴下の斜視図である。                                                      （ｂ）同内側身生地の上端部を伸ばした靴下の正面図である。            （ｃ）同内側身生地の上端部を伸ばした靴下の側面断面図である。        （ｄ）同内側身生地の上端部を伸ばし、外側身生地を広げた靴下の側面斜視図である。
【図２】（ａ）本発明の第１実施形態における内側身生地の上端部を折り返した靴下の斜視図である。                                                    （ｂ）同靴下の内側身生地の上端部を折り返した靴下の正面図である。    （ｃ）同靴下の内側身生地の上端部を折り返した靴下の側面断面図である。
【図３】（ａ）靴を履いた靴下の正面図である。                                 （ｂ）靴を履いた靴下の側面図である。
【図４】（ａ）プロテクターを収納した靴下を正面図である。                    （ｂ）プロテクターを収納した靴下の側面断面図である。
【図５】（ａ）小銭を収納した靴下を側面図である。                             （ｂ）小銭を収納した靴下の正面断面図である。
【図６】マークが描かれた靴下を示す図である。
【図７】従来の編み機の構造を示す縦断面図である。
【図８】（ａ）  平編みの編成地の構造を示す平面図である。                     （ｂ）〜（ｄ）  編み針とシンカーの編成動作を示す側面図である。
【図９】従来の編み機のシンカーおよびシンカーキャップを示す平面図である。
【図１０】本発明の第１実施形態における靴下の製造方法のフローチャートを示す図である。
【図１１】同靴下の製造工程を示す図である。
【図１２】本発明の変形例におけるレックカバーを示す図である。
【発明を実施するための形態】
【００１６】
以下、本発明の靴下の第１実施形態について図面を参照にしながら説明する。ここで、図１（ａ）は本発明の第１実施形態における内側身生地の上端部を伸ばした靴下の斜視図であり、図１（ｂ）は同内側身生地の上端部を伸ばした靴下の正面図であり、図１（ｃ）は同内側身生地の上端部を伸ばした靴下の側面断面図であり、図１（ｄ）は同内側身生地の上端部を伸ばし、外側身生地を広げた靴下の側面斜視図である。
【００１７】
図１に示すように、靴下６は、足を挿入する履き口部３から略踝部４までを構成する環状のボディ部５と、ボディ部５と一体に編成され、略踝部４の端部から爪先部１１までを構成するフット部８とから編成されている。ここで、踝部4とは踝の部分のことであり、踝の少し上部、少し下部も含む概念である。
【００１８】
ボディ部５は、略踝部４の上部から上端部まで形成された外側身生地２と、外側身生地２の内側に設けられ、外側身生地２の上端部より長く形成された内側身生地１と、を有し、略踝部４の上部の箇所から外側身生地２の上端部まで二重構造になっている。そして、外側身生地２と内側身生地１により二重構造の部分は、下部が閉塞し上部が開口する収納空間７を形成している。ここで、外側身生地２が形成されている略踝部４の上部から上端部までの位置は、踝部4付近の上部の位置から上端部の範囲内である。
【００１９】
ボディ部５の外側身生地２と内側身生地１により形成された収納空間７は、上部が下腿全周方向に３６０度開口している。そして、内側身生地１は、外側身生地２の上端部より長く形成されているので、内側身生地１の上端部が外側身生地２の上端部を覆うように折り返されることにより、収納空間７の上部開口を塞ぐことができる。つまり、内側身生地１の上端部を折り返すことにより、収納空間７の上部開口を内側身生地１より蓋をすることができる（図２参照）。ここで、図２（ａ）は本発明の第１実施形態における内側身生地の上端部を折り返した靴下の斜視図であり、図２（ｂ）は同内側身生地の上端部を折り返した靴下の正面図であり、図２（ｃ）は同内側身生地の上端部を折り返した靴下の側面断面図である。
【００２０】
このように、ボディ部５には、外側身生地２と内側身生地１により、下部が閉塞し上部が下腿全周方向に開口した収納空間７が形成されているので、靴下６を着用した状態でも、収納空間７の上部開口から各種の貴重品などを容易に収納することができる（図３参照）。すなわち、外側身生地２の長さを内側身生地１より短くしているので、靴下６を着用した状態でも、外側身生地２と内側身生地１により形成された収納空間７にプロテクター２１や小銭２７などの貴重品などを容易に収納することができる。また、外側身生地２と内側身生地１により形成された収納空間７は、下腿全周方向に３６０度開口しているので、大きさ、形状に拘らず、各種の収納物を容易に収納することができる。ここで、図３（ａ）は靴を履いた靴下の正面図であり、図３（ｂ）は靴を履いた靴下の側面図であり、図４（ａ）はプロテクターを収納した靴下を正面図であり、図４（ｂ）はプロテクターを収納した靴下の側面断面図であり、図５（ａ）は小銭を収納した靴下を側面図であり、図５（ｂ）は小銭を収納した靴下の正面断面図である。なお、図１〜図４は膝下までの長さのボディ部５の靴下６（ハイソックス）を示しているが、図５は少し短めのボディ部５の靴下６（ローソックス）を示している。このように、ハイソックスの靴下６に使用した場合は収納空間７が深くでき、ローソックスの靴下６に使用した場合は収納空間７が少し浅くなる。また、本発明はローソックス、ハイソックス以外のボディ部５の長さの靴下６についても適用できる。さらに、それぞれの靴下６の外側身生地２と内側身生地１により形成される収納空間７は靴下６のボディ部５の上部、中部、下部のいずれの位置に形成してもよく、その収納空間７の大きさも靴下６のボディ部５の縦長さの略１／２〜略１／４の大きさや、略１／２〜略１／３等、各種の収納空間７の大きさの靴下６についても適用できる。
【００２１】
内側身生地１の外周面（表面）および外側身生地２の折り返される裏面には、マーク２８が描かれている（図６参照）。このように、内側身生地１の外周面（表面）および折り返される外側身生地２の裏面にマーク２８が描かれているので、外側身生地２を折り返した状態で、内側身生地１の外周面（表面）および外側身生地２の裏側のマーク２８が表面に表示され、靴下６のデザイン力をアップさせることができる。なお、本実施形態では、内側身生地１の外周面（表面）および外側身生地６の裏側にマーク２８を描いたが、これに限らず、文字や模様などを内側身生地１の外周面（表面）および外側身生地２の裏面に描くようにしてもよい。このように、内側身生地１の外周面（表面）および外側身生地２の裏面に文字や模様を描いた場合でも、マークを描いた場合と同様、靴下６のデザイン力をアップさせることができる。また、内側身生地１の外周面（表面）および外側身生地２の裏面に文字などが描かれている場合は、収納空間７内に貴金属などを収納している場合のみならず、収納していない場合においても、外側身生地２の上端部を折り返して、楽しむことができる。ここで、図６はマークが描かれた靴下を示す図である。なお、本実施形態では、内側身生地１の外周面（表面）および外側身生地２の折り返される裏面にマーク２８を描いているが、これに限らず、内側身生地１の外周面（表面）および外側身生地２の折り返される裏面のいずれか一方でもよく、また、内側身生地１の外周面（表面）および外側身生地２にマーク２８を設けなくてもよい。
【００２２】
内側身生地１には、下腿の周方向に内側身生地伸縮部９が設けられ、この内側身生地伸縮部９により下腿が周方向に締め付けられる（図６参照）。このように、内側身生地１の内側身生地伸縮部９により下腿が周方向に締め付けられるので、内側身生地１の上端部を折り返すことにより収納空間７の上部開口をより強固に塞ぐことができ、収納空間７内の貴重品などが収納空間７外に飛び出すことをより確実に防止することができる。なお、内側身生地伸縮部９は、内側身生地１の上端部である履き口部３付近または内側身生地１全体に形成されている。また、図６では、内側身生地伸縮部９を内側身生地１の外周面に設けたが、これに限らず、内側身生地１の内周面に設けてもよく、内側身生地１の内周面から外周面に渡って、内側身生地伸縮部９が形成されるものでもよい。また、内側身生地１に内側身生地伸縮部９を設けないようにしてもよい。
【００２３】
外側身生地２には、下腿の周方向に外側身生地伸縮部１０が設けられ、この外側身生地伸縮部１０により、下腿が周方向に締め付けられる（図６参照）。このように、外側身生地２の外側身生地伸縮部１０により下腿が周方向に締め付けられるので、収納空間７内の貴重品などの移動を抑制して収納空間７内に確実に保持することができる。また、収納空間７内に物を入れないときでも、外側身生地伸縮部１０により下腿が周方向に締め付けられるので、靴下６の形状を崩すことなく、美しい靴下６の形状を保って使用することができるとともに、外側身生地２を足首の踝部４側に折り返すことにより、さらに靴下６の形状を崩すことなく、美しい靴下６の形状を保持して使用することができる（図６参照）。ここで、図６では、内側身生地１の外周面（表面）および外側身生地２の折り返される裏面にマーク２８を描かれている。このように、内側身生地１の外周面（表面）および外側身生地２の折り返される裏面にマーク２８を描くことにより、靴下６のデザイン力をさらにアップさせることができる。また、外側身生地２の外周面（表面）の上部にマーク２８など（文字、模様含む）を描くようにしてもよい。外側身生地２の外周面（表面）の上部にマークなどを描くことにより、マークなどを表示させたくない場合は、外側身生地２を内側方向に折り返すことによりマーク２８などの表示を隠すことができる。なお、外側身生地伸縮部１０は、外側身生地２の上端部付近または外側身生地２全体に形成されている。また、図６では、外側身生地伸縮部１０を外側身生地２の内周面に設けたが、これに限らず、外側身生地２の外周面に設けてもよく、外側身生地２の内周面から外周面に渡って、外側身生地伸縮部１０が形成されるものでもよい。また、外側身生地２に外側身生地伸縮部１０を設けなくてもよい。
【００２４】
次に、本発明の靴下の一実施形態の製造方法について説明する。ここで、図７は従来の編み機の構造を示す縦断面図であり、図８（ａ）は平編みの編成地の構造を示す平面図であり、図８（ｂ）〜図８（ｄ）は編み針とシンカーの編成動作を示す側面図であり、図９は従来の編み機のシンカーおよびシンカーキャップを示す平面図である。
【００２５】
編み機Ａは、靴下６を編成する機器であり、非回転の編機本体１８と、編み針１２及びシンカー１３を装着し回転する編機シリンダ１４と、編機シリンダ１４の上部においてシンカー１３を覆うように装着したシンカーキャップ１５とを備えている（図７参照）。本実施形態で使用する編み機Ａは、たとえば、特許３８７１８７８号公報（従来の技術）に示されているような一般的に使用している編み機Ａである。以下、上記公報の内容に従って説明する。
【００２６】
編機シリンダ１４は、外周面に上下方向に形成した複数の溝に複数の編み針１２を上下に摺動自在に収容しており、編機シリンダ１４の上部の外形側と内径側に固定した外シンカーリング１６と内シンカーリング１７とに放射状に形成した複数の溝に、シンカー１３を摺動自在に収容している。
【００２７】
編み針１２は、図８（ｂ）に示すように、編み糸４３を引掛けるフック部２２を上端に備えた棒状部材であり、下部に外径側に直角に屈曲したバット部２３を備えている。フック部２２は、編機シリンダ１４の外径側に開口したフック２４と、フック２４の下部から上下方向に回動してフック２４を開閉させるべら２５とを備えている。編み針１２のバット部２３は、非回転の編機本体１８に編機シリンダ１４の外周面に対向する面に所定の軌道で設けた編み針カム２６によって、上下両端が支持されており、編機シリンダ１４の回転に伴って編み針カム２６の軌道に沿って、周方向の所定位置で編み針１２が上下動するようになっている。
【００２８】
シンカー１３は、非回転のシンカーキャップ１５の下面に装着したシンカーカム３１によって、周方向の所定位置で半径方向に摺動するようになっている。編み機Ａの編成は編み針１２とシンカー１３の動作によって行なわれる。
【００２９】
次に、編み機Ａを用いた平編みの編成について説明する。平編みは、図８（ａ）に示すように、既に編成した部分４１に形成されたループ４２の中に供給される編み糸４３を上から下に引き込んで新たにループ４４を形成していく編成手法である。
【００３０】
編み針１２とシンカー１３の動作を図８（ｂ）〜図８（ｄ）に示す。
【００３１】
図８（ｂ）に示すように、編み針１２は既に編成した部分４１のループ４２に挿通している。編み糸４３は編み針１２のフック２４に供給されるようになっており、シンカー１３は編機シリンダ１４の上部において、編み針１２の周方向両側に配設してあり、既に編成した部分４１を編機シリンダ１４の内径側に押し込むように動く。
【００３２】
編み針１２は、図８（ｂ）の状態から図８（ｃ）へ降下する過程において、編み針１２のフック２４に保持した編み糸４３を、既に編成した部分のループ４２に引き込んで、ループ４２の下側に新たにループ４４を形成する。シンカー１３は、図８（ｃ）に示すように、編み針１２が降下するときは編み針１２に保持された編み糸４３がシンカー１３の上部に絡まないように、編機シリンダ１４の外径側に移動する。編み針１２が降下して新たなループ４４ができると、図８（ｄ）に示すように、シンカー１３は編機シリンダ１４の内径側に移動して編成した部分４１を内径側へ押し込む。
【００３３】
シンカーキャップ１５は、図９に示すように、外形方向に平行に突出した２本の突起３２、３３を備えている。２本の突起３２、３３には対向する側の面にねじ軸が突出するように、それぞれねじ３４、３５を取り付けてある。シンカーキャップ１５の２本の突起３２、３３の間には、非回転の編機本体１８から延在する規制部３６が突設してある。シンカーキャップ１５は、編機シリンダ１４の上部を覆うように装着してあり、編機シリンダ１４の回転方向に従って回動する。
【００３４】
シンカーキャップ１５の周方向領域aでは、シンカーカム３１の作用によりシンカー１３が外径方向に後退する。この周方向領域aでは、図８（ｃ）に示すように、編機シリンダ１４に装着された編み針１２が降下して新たなループ４４を形成するようになっている。また編み針１２が最下端まで下がるところが周方向領域aの後半部分にあたり、ここから図８（ｄ）に示すようにシンカー１３が内径方向に前進して編成した部分４１を編機シリンダ１４の内径側に押し込むようになっている。
【００３５】
編み機Ａの上部には上皿１９が取り付けられ、その上皿１９の外周面には外側方向に出し入れ可能な上皿ジャック２０が設けられている。このような従来公知の編み機Ａを用いて、靴下６が編成される（図１１参照）。ここで、図１１は本発明の第１実施形態における靴下の製造工程を示す図である。
【００３６】
次に、上述した編み機Ａを用いて本発明の靴下を製造する方法について、図１０および図１１を参照にして、具体的に説明する。ここで、図１０は本発明の第１実施形態における靴下の製造方法のフローチャートを示す図である
【００３７】
まず、Ｓ１において、靴下袋部編立工程が実施される（図１１（ａ）参照）。靴下袋部編立工程では、まずナイロン糸を用いてメイキャップ部を編み立て、そのメイキャップ部の端部を編み機Ａの上皿１９の外周面から外側に出した上皿ジャック２０に引っ掛けた後に、上皿ジャック２０を引っ込める。そして、メイキャップ部の端部を上皿１９の上皿ジャック２０に引っ掛けた状態で、ナイロン糸とゴム糸を用いて靴下袋部４５を編み立てる。このようにして、靴下袋部４５の編み立てが終了すると、上皿１９の上皿ジャック２０に引っ掛けられたメイキャップ部の端部と靴下袋部４５の端部を結合させ、靴下袋部４５が完成する。そして、上皿１９の上皿ジャック２０に引っ掛けられたメイキャップ部の端部を上皿から外し、Ｓ２の処理に移行する。ここで、説明の便宜上、メイキャップ部と靴下袋部４５を別々に説明しているが、実際にはメイキャップ部は靴下袋部４５に含まれる靴下袋部４５の一部である。
【００３８】
Ｓ２において、内側身生地編立工程が実施される（図１１（ｂ）参照）。内側身生地編立工程では、ナイロン糸を用いて靴下袋部４５の端部から内側身生地１が編み立てられる。そして、内側身生地１が完成すると、Ｓ３の処理に移行する。なお、内側身生地１に内側身生地伸縮部９が設けられる場合は、その部分については、ナイロン糸とゴム糸を用いて編み立てられる。
【００３９】
次に、Ｓ３において、外側身生地編立工程が実施される（図１１（ｃ））。外側身生地編立工程では、内側身生地編立工程により編み立てられた内側身生地１の端部を上皿１９外周面の上皿ジャック２０に引っ掛け、この状態でナイロン糸を用いて外側身生地２が編み立てられる。ここで、外側身生地２は２重で編み立てられるが、この編み立て方法は靴下袋部４５と同様であるので、説明は割愛する。なお、外側身生地編立工程が実施されている間は、内側身生地１の下方から１馬力〜３馬力（好ましくは略２馬力）の圧力で吸引されている。このように、内側身生地１を下方から吸引し引っ張っているので、内側身生地１が下部方向（長手方向）に伸び、内側身生地１が編み針１２に絡むことがなくなる。これにより、内側身生地１が編み針１２に絡むことによる編み針１２の折れを防止することができる。そして、上皿１９の上皿ジャック２０に引っ掛けられた内側身生地１の端部を上皿から外し、Ｓ４の処理に移行する。なお、外側身生地２に外側身生地伸縮部１０が設けられる場合は、その部分については、ナイロン糸とゴム糸を用いて編み立てられる。
【００４０】
Ｓ４において、踝部先端編立工程が実施される（図１１（ｄ）参照）。この踝部先端編立工程では、内側身生地１の端部と外側身生地２の結合部分から、ナイロン糸を用いて略踝部４から靴下先端に至る部分を編み立てる。この踝部先端編立工程では、略踝部４以下の靴下先端部分が編み立てられるが、この略踝部４以下の靴下先端部分の編立方法は通常の靴下の編立方法と同様であるので、説明は割愛する。
【００４１】
次に、Ｓ５において、先端部閉止工程が実施される。この先端部閉止工程では、踝部先端編立工程の終了後に、編み機Ａから取り外して、ナイロン糸を用いてミシン機などで靴下６の先端部が閉止される。これにより、靴下６が完成する。
【００４２】
以上の開示した実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【００４３】
（変形例）
本実施形態では、内側身生地１と外側身生地２により収納空間を形成した靴下について説明したが、これに限らず、内側身生地と外側身生地により収納空間を形成したレックカバー４６を用いることもできる（図１２参照）。ここで、図１２は本発明の変形例におけるレックカバーを示す図である。具体的には、このレックカバー４６は靴下の略踝部４以上の部分で構成されている。このレックカバー４６の略踝部４には踝部伸縮部４７が設けられ、この踝部伸縮部４７により足首が周方向に締め付けられる。なお、踝部伸縮部４７は、レックカバー４６の踝部４付近に形成されている。また、図１２では、踝部伸縮部４７をレックカバー４６の踝部４付近の外周面に設けたが、これに限らず、レックカバー４６の踝部４付近の内周面に設けてもよく、レックカバー４６の踝部４付近の内周面から外周面に渡って、踝部伸縮部４７が形成されるものでもよい。また、レックカバー４６に踝部伸縮部４７を設けないようにしてもよい。また、レックカバー４６の製造方法については、靴下６の製造方法の外側身生地編立工程（Ｓ３）までの工程と同様の工程が実施され、そして、Ｓ４Ａにおいて、踝部編立工程が実施される。この踝部編立工程では、内側身生地１の端部と外側身生地２の結合部分から、ナイロン糸とゴム糸を用いて踝部４付近が編み立てられる。なお、踝部４付近に踝部伸縮部４７が設けられない場合は、その部分については、ナイロン糸を用いて編み立てられる。
【符号の説明】
【００４４】
１    内側身生地
２    外側身生地
３    履き口部
４    踝部
５    ボディ部
６    靴下
７    収納空間
８    フット部
９    内側身生地伸縮部
１０  外側身生地伸縮部
１１  爪先部
１２  編み針
１３  シンカー
１４  編機シリンダ
１５  シンカーキャップ
１６  外シンカーリング
１７  内シンカーリング
１８  編機本体
１９  上皿
２０  上皿ジャック
２１  プロテクター
２２  フック部
２３  バット部
２４  フック
２５  べら
２６  編み針カム
２７  小銭
２８  マーク
３１  シンカーカム
４３  編み糸
４１  既に編成した部分
４２  ループ
４３  編み糸
４４  ループ
４５  靴下袋部
４６  レックカバー
４７  踝部伸縮部
【図１】
2015182095.tif 000003
【図２】
2015182095.tif 000004
【図３】
2015182095.tif 000005
【図４】
2015182095.tif 000006
【図５】
2015182095.tif 000007
【図６】
2015182095.tif 000008
【図７】
2015182095.tif 000009
【図８】
2015182095.tif 000010
【図９】
2015182095.tif 000011
【図１０】
2015182095.tif 000012
【図１１】
2015182095.tif 000013
【図１２】
2015182095.tif 000014
【手続補正書】
【提出日】平成27年11月25日(2015.11.25)
【手続補正１】
【補正対象書類名】特許請求の範囲
【補正対象項目名】全文
【補正方法】変更
【補正の内容】
【特許請求の範囲】
【請求項１】
足を挿入する履き口部から略踝部までを構成し、該略踝部の上部から上端部まで形成された外側身生地と、該外側身生地の内側に設けられた内側身生地とを有し、該外側身生地と該内側身生地により下部が閉塞し上部が下腿全周方向に開口した収納空間が形成された環状のボディ部と、該ボディ部と一体に編成され、前記略踝部の端部から爪先部までを構成するフット部とから編成された靴下の製造方法であって、
ナイロン糸を用いてメイキャップ部の端部を編み機の上皿の外周面から外側に出した上皿ジャックに引っ掛けた後、該上皿ジャックを引っ込めた状態でナイロン糸とゴム糸を用いて靴下袋部を編み立て、該上皿の上皿ジャックに引っ掛けられた該メイキャップ部の端部と該靴下袋部の端部を結合させ、靴下袋部が編立てられる靴下袋部編立工程と、
ナイロン糸を用いて前記靴下袋部の端部から内側身生地が編み立てられる内側身生地編立工程と、
該内側身生地編立工程により編み立てられた前記内側身生地の端部を前記上皿外周面の上皿ジャックに引っ掛け、該内側身生地の下方から１馬力〜３馬力の圧力で吸引した状態で、ナイロン糸を用いて外側身生地が編み立てられる外側身生地編立工程と、
前記上皿の上皿ジャックに引っ掛けられた前記内側身生地の端部が該上皿から外され、該内側身生地の端部と前記外側身生地の結合部分からナイロン糸を用いて前記略踝部から靴下先端に至る部分を編み立てる踝部先端編立工程と、
該踝部先端編立工程の終了後に、前記編み機から取り外して、ナイロン糸を用いてミシン機などで靴下の先端部が閉止される先端部閉止工程と、
を有する靴下の製造方法。
【請求項２】
前記内側身生地編立工程により編み立てられる前記内側身生地に内側身生地伸縮部が設けられる場合、前記外側身生地編立工程により編み立てられる前記外側身生地に外側身生地伸縮部が設けられる場合は、その部分についてはナイロン糸とゴム糸を用いて編み立てられる請求項１記載の靴下の製造方法。
【手続補正２】
【補正対象書類名】明細書
【補正対象項目名】０００６
【補正方法】変更
【補正の内容】
【０００６】
本発明の第１の態様は、足を挿入する履き口部から略踝部までを構成し、略踝部の上部から上端部まで形成された外側身生地と、外側身生地の内側に設けられた内側身生地とを有し、外側身生地と内側身生地により下部が閉塞し上部が下腿全周方向に開口した収納空間が形成された環状のボディ部と、ボディ部と一体に編成され、略踝部の端部から爪先部までを構成するフット部とから編成された靴下の製造方法であって、ナイロン糸を用いてメイキャップ部の端部を編み機の上皿の外周面から外側に出した上皿ジャックに引っ掛けた後、上皿ジャックを引っ込めた状態でナイロン糸とゴム糸を用いて靴下袋部を編み立て、上皿の上皿ジャックに引っ掛けられたメイキャップ部の端部と靴下袋部の端部を結合させ、靴下袋部が編立てられる靴下袋部編立工程と、ナイロン糸を用いて靴下袋部の端部から内側身生地が編み立てられる内側身生地編立工程と、内側身生地編立工程により編み立てられた内側身生地の端部を上皿外周面の上皿ジャックに引っ掛け、内側身生地の下方から１馬力〜３馬力の圧力で吸引した状態で、ナイロン糸を用いて外側身生地が編み立てられる外側身生地編立工程と、上皿の上皿ジャックに引っ掛けられた内側身生地の端部が上皿から外され、内側身生地の端部と外側身生地の結合部分からナイロン糸を用いて略踝部から靴下先端に至る部分を編み立てる踝部先端編立工程と、踝部先端編立工程の終了後に、編み機から取り外して、ナイロン糸を用いてミシン機などで靴下の先端部が閉止される先端部閉止工程と、を有するものである。
【手続補正３】
【補正対象書類名】明細書
【補正対象項目名】０００７
【補正方法】変更
【補正の内容】
【０００７】
本発明の第２の態様は、本発明の第１の態様の靴下の製造方法であって、内側身生地編立工程により編み立てられる内側身生地に内側身生地伸縮部が設けられる場合、外側身生地編立工程により編み立てられる外側身生地に外側身生地伸縮部が設けられる場合は、その部分についてはナイロン糸とゴム糸を用いて編み立てられるものである。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正書】
【提出日】平成27年11月25日(2015.11.25)
【手続補正１】
【補正対象書類名】特許請求の範囲
【補正対象項目名】全文
【補正方法】変更
【補正の内容】
【特許請求の範囲】
【請求項１】
足を挿入する履き口部から略踝部までを構成し、該略踝部の上部から上端部まで形成された外側身生地と、該外側身生地の内側に設けられた内側身生地とを有し、該外側身生地と該内側身生地により下部が閉塞し上部が下腿全周方向に開口した収納空間が形成された環状のボディ部と、該ボディ部と一体に編成され、前記略踝部の端部から爪先部までを構成するフット部とから編成された靴下の製造方法であって、
ナイロン糸を用いてメイキャップ部の端部を編み機の上皿の外周面から外側に出した上皿ジャックに引っ掛けた後、該上皿ジャックを引っ込めた状態でナイロン糸とゴム糸を用いて靴下袋部を編み立て、該上皿の上皿ジャックに引っ掛けられた該メイキャップ部の端部と該靴下袋部の端部を結合させ、靴下袋部が編立てられる靴下袋部編立工程と、
ナイロン糸を用いて前記靴下袋部の端部から内側身生地が編み立てられる内側身生地編立工程と、
該内側身生地編立工程により編み立てられた前記内側身生地の端部を前記上皿外周面の上皿ジャックに引っ掛け、該内側身生地の下方から１馬力〜３馬力の圧力で吸引した状態で、ナイロン糸を用いて外側身生地が編み立てられる外側身生地編立工程と、
前記上皿の上皿ジャックに引っ掛けられた前記内側身生地の端部が該上皿から外され、該内側身生地の端部と前記外側身生地の結合部分からナイロン糸を用いて前記略踝部から靴下先端に至る部分を編み立てる踝部先端編立工程と、
該踝部先端編立工程の終了後に、前記編み機から取り外して、ナイロン糸を用いてミシン機などで靴下の先端部が閉止される先端部閉止工程と、
を有する靴下の製造方法。
【請求項２】
前記内側身生地編立工程により編み立てられる前記内側身生地に内側身生地伸縮部が設けられる場合、前記外側身生地編立工程により編み立てられる前記外側身生地に外側身生地伸縮部が設けられる場合は、その部分についてはナイロン糸とゴム糸を用いて編み立てられる請求項１記載の靴下の製造方法。
【手続補正３】
【補正対象書類名】明細書
【補正対象項目名】０００６
【補正方法】変更
【補正の内容】
【０００６】
本発明の第１の態様は、足を挿入する履き口部から略踝部までを構成し、略踝部の上部から上端部まで形成された外側身生地と、外側身生地の内側に設けられた内側身生地とを有し、外側身生地と内側身生地により下部が閉塞し上部が下腿全周方向に開口した収納空間が形成された環状のボディ部と、ボディ部と一体に編成され、略踝部の端部から爪先部までを構成するフット部とから編成された靴下の製造方法であって、ナイロン糸を用いてメイキャップ部の端部を編み機の上皿の外周面から外側に出した上皿ジャックに引っ掛けた後、上皿ジャックを引っ込めた状態でナイロン糸とゴム糸を用いて靴下袋部を編み立て、上皿の上皿ジャックに引っ掛けられたメイキャップ部の端部と靴下袋部の端部を結合させ、靴下袋部が編立てられる靴下袋部編立工程と、ナイロン糸を用いて靴下袋部の端部から内側身生地が編み立てられる内側身生地編立工程と、内側身生地編立工程により編み立てられた内側身生地の端部を上皿外周面の上皿ジャックに引っ掛け、内側身生地の下方から１馬力〜３馬力の圧力で吸引した状態で、ナイロン糸を用いて外側身生地が編み立てられる外側身生地編立工程と、上皿の上皿ジャックに引っ掛けられた内側身生地の端部が上皿から外され、内側身生地の端部と外側身生地の結合部分からナイロン糸を用いて略踝部から靴下先端に至る部分を編み立てる踝部先端編立工程と、踝部先端編立工程の終了後に、編み機から取り外して、ナイロン糸を用いてミシン機などで靴下の先端部が閉止される先端部閉止工程と、を有するものである。
【手続補正４】
【補正対象書類名】明細書
【補正対象項目名】０００７
【補正方法】変更
【補正の内容】
【０００７】
本発明の第２の態様は、本発明の第１の態様の靴下の製造方法であって、内側身生地編立工程により編み立てられる内側身生地に内側身生地伸縮部が設けられる場合、外側身生地編立工程により編み立てられる外側身生地に外側身生地伸縮部が設けられる場合は、その部分についてはナイロン糸とゴム糸を用いて編み立てられるものである。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正書】
【提出日】平成28年10月19日(2016.10.19)
【手続補正１】
【補正対象書類名】特許請求の範囲
【補正対象項目名】全文
【補正方法】変更
【補正の内容】
【特許請求の範囲】
【請求項１】
足を挿入する履き口部から略踝部までを構成し、該略踝部の上部から上端部まで形成された外側身生地と、該外側身生地の内側に設けられた内側身生地とを有し、該外側身生地と該内側身生地により下部が閉塞し上部が下腿全周方向に開口した収納空間が形成された環状のボディ部と、該ボディ部と一体に編成され、前記略踝部の端部から爪先部までを構成するフット部とから編成された靴下の製造方法であって、
ナイロン糸を用いてメイキャップ部の端部を編み機の上皿の外周面から外側に出した上皿ジャックに引っ掛けた後、該上皿ジャックを引っ込めた状態でナイロン糸とゴム糸を用いて靴下袋部を編み立て、該上皿の上皿ジャックに引っ掛けられた該メイキャップ部の端部と該靴下袋部の端部を結合させ、靴下袋部が編立てられる靴下袋部編立工程と、
ナイロン糸を用いて前記靴下袋部の端部から内側身生地が編み立てられる内側身生地編立工程と、
該内側身生地編立工程により編み立てられた前記内側身生地の端部を前記上皿の外周面の上皿ジャックに引っ掛け、該内側身生地を下方から吸引し該内側身生地が引っ張られた状態で、ナイロン糸を用いて外側身生地が編み立てられる外側身生地編立工程と、
前記上皿の上皿ジャックに引っ掛けられた前記内側身生地の端部が該上皿から外され、該内側身生地の端部と前記外側身生地の結合部分からナイロン糸を用いて前記略踝部から靴下先端に至る部分を編み立てる踝部先端編立工程と、
該踝部先端編立工程の終了後に、前記編み機から取り外して、ナイロン糸を用いて靴下の先端部が閉止される先端部閉止工程と、
を有する靴下の製造方法。
【手続補正２】
【補正対象書類名】明細書
【補正対象項目名】０００６
【補正方法】変更
【補正の内容】
【０００６】
本発明の第１の態様は、足を挿入する履き口部から略踝部までを構成し、略踝部の上部から上端部まで形成された外側身生地と、外側身生地の内側に設けられた内側身生地とを有し、外側身生地と内側身生地により下部が閉塞し上部が下腿全周方向に開口した収納空間が形成された環状のボディ部と、ボディ部と一体に編成され、略踝部の端部から爪先部までを構成するフット部とから編成された靴下の製造方法であって、ナイロン糸を用いてメイキャップ部の端部を編み機の上皿の外周面から外側に出した上皿ジャックに引っ掛けた後、上皿ジャックを引っ込めた状態でナイロン糸とゴム糸を用いて靴下袋部を編み立て、上皿の上皿ジャックに引っ掛けられたメイキャップ部の端部と靴下袋部の端部を結合させ、靴下袋部が編立てられる靴下袋部編立工程と、ナイロン糸を用いて靴下袋部の端部から内側身生地が編み立てられる内側身生地編立工程と、内側身生地編立工程により編み立てられた内側身生地の端部を上皿の外周面の上皿ジャックに引っ掛け、内側身生地を下方から吸引し該内側身生地が引っ張られた状態で、ナイロン糸を用いて外側身生地が編み立てられる外側身生地編立工程と、上皿の上皿ジャックに引っ掛けられた内側身生地の端部が上皿から外され、内側身生地の端部と外側身生地の結合部分からナイロン糸を用いて略踝部から靴下先端に至る部分を編み立てる踝部先端編立工程と、踝部先端編立工程の終了後に、編み機から取り外して、ナイロン糸を用いて靴下の先端部が閉止される先端部閉止工程と、を有するものである。
【国際調査報告】
2015182095.tif 000015
2015182095.tif 000016
2015182095.tif 000017
2015182095.tif 000018